(57)【要約】【課題】使用者がリモコンなどを用いて、所定の制御モードで動作させる際に、単純かつ操作回数を少なくできる照明装置を提供する。【解決手段】信号を受信する受信部と、使用者が操作し異なる２種類以上の前記信号を送る操作部と、一つ以上の半導体発光素子を有する発光体と、前記受信部で受信した信号によって発光体を点灯、調光など制御をする電源回路とを有し、前記制御における明るさなどが違う点灯モードが５つ以上存在し、一つの信号Ａによって、前記５つ以上の点灯モード全てに遷移でき、異なる一つの信号Ｂによって、前記点灯モードの２つ以上、かつ、前記点灯モードの全てより少ない点灯モードに遷移できる。【選択図】図１
2020202139.tif 000002
【特許請求の範囲】
【請求項１】
信号を受信する受信部と、
使用者が操作し異なる２種類以上の前記信号を送る操作部と、
一つ以上の半導体発光素子を有する発光体と、
前記受信部で受信した信号によって発光体を点灯、調光など制御をする電源回路とを有し、
前記制御における明るさなどが違う点灯モードが５つ以上存在し、
一つの信号Ａによって、前記５つ以上の点灯モード全てに遷移でき、
異なる一つの信号Ｂによって、前記点灯モードの２つ以上、かつ、前記点灯モードの全てより少ない点灯モードに遷移できる照明装置、または、照明ユニット。
【請求項２】
前記点灯モードのいずれかを前記照明装置に記憶し、
前記点灯モードを記憶した際には、前記信号Ｂを受信した際に記憶した点灯モードで点灯し、
前記記憶した点灯モードの記憶は解除することができる請求項１に記載の照明装置、または、照明ユニット。
【請求項３】
前記信号が赤外線であることを特徴とする請求項１又は２に記載の照明装置、または、照明ユニット。
【請求項４】
前記操作部がボタン操作であることを特徴とする請求項１乃至３の何れか１項に記載の照明装置、または、照明ユニット。
【請求項５】
前記信号Ｂは２つ以上の点灯モードを繰り返し遷移させるように設定されることを特徴とする請求項１乃至４の何れか１項に記載の照明装置、または、照明ユニット。
【発明の詳細な説明】
【技術分野】
【０００１】
本発明は、照明装置に関する。
【背景技術】
【０００２】
ＬＥＤ（Light Emitting Diode）などの半導体素子を有する発光体を備えた照明装置は、蛍光ランプ用照明器具と比較して長寿命化・省エネルギー化を図ることができるため、急速に普及が進んでいる。ＬＥＤは、蛍光ランプと比較して明るさの制御が比較的容易なため、使用者がリモコンなどを用いて、特定の信号を照明装置に送り、照明装置が受信した特定の信号に対して、ＬＥＤに流す電流を調整することで、明るさや光色を調節できる機能を搭載した照明装置が市場で販売されている。
【０００３】
例えば特許文献１には、使用者によって操作されるリモコンユニットから発せられるリモコン信号を受信して、ＬＥＤ素子の点灯制御ができるＬＥＤ照明装置が提案されている。
【先行技術文献】
【特許文献】
【０００４】
【特許文献１】特開２０１３―４８１６７号公報
【発明の概要】
【発明が解決しようとする課題】
【０００５】
このようなＬＥＤ照明装置における課題として、例えば、ＬＥＤ素子の明るさが違う２１段階の点灯モードがある場合、リモコンの操作ボタンが２１個、もしくは、１つの操作ボタンの場合、２１回の操作が必要になってしまい、ＬＥＤ素子の点灯モードが多くなるほど、使用者のリモコンの操作が複雑化、もしくは、操作回数の増加が発生することが挙げられる。また、所定の明るさに一度調節した後に、他の点灯モードに遷移してしまうと、再び所定の明るさに制御するために、再度リモコンの操作が発生してしまう課題もある。
【０００６】
本発明は、ＬＥＤ素子を制御して明るさなどが違う複数の点灯モードがある照明装置において、使用者がリモコンなどを用いて、所定の点灯モードで動作させる際に、単純かつ操作回数を少なくできる照明装置を提供することを目的とする。
【課題を解決するための手段】
【０００７】
上記目的を達成するために、信号を受信する受信部と、使用者が操作し異なる２種類以上の前記信号を送る操作部と、一つ以上の半導体発光素子を有する発光体と、前記受信部で受信した信号によって発光体を点灯、調光など制御をする電源回路とを有し、前記制御における明るさなどが違う点灯モードが５つ以上存在し、一つの信号Ａによって、前記５つ以上の点灯モード全てに遷移でき、異なる一つの信号Ｂによって、前記点灯モードの２つ以上、かつ、前記点灯モードの全てより少ない点灯モードに遷移できることを特徴とする。
【発明の効果】
【０００８】
本発明により、使用者がリモコンなどを用いて、所定の点灯モードで動作させる際に、単純かつ操作回数を少なくできる照明装置を提供することができる。
【図面の簡単な説明】
【０００９】
【図１】実施形態に係るＬＥＤ照明装置を示す分解斜視図である。
【図２】実施形態に係るＬＥＤ照明装置のＬＥＤの配置を示す平面図である。
【図３】実施形態に係るＬＥＤ照明装置を示す縦断面図である。
【図４】実施形態の係る電源回路の概略図である。
【図５】実施形態に係るリモコンの平面図である。
【図６】実施形態に係るリモコン操作のフローチャートである。
【発明を実施するための形態】
【００１０】
本発明の実施形態について、一例として適宜図面を参照しながら詳細に説明する。なお、各図において、共通する部分には同一の符号を付し、重複した説明を省略する。
【００１１】
また、本実施形態に係るＬＥＤ照明装置１は、例えば、家屋の天井面に設けられる引掛ローゼットや引掛シーリングなどの屋内配線器具（不図示）に係合する取付アダプタ（不図示）を介することによって、外部電源に接続されるとともに天井面の所定位置に固定されて利用に供されるものである。
【００１２】
図１は、実施形態に係るＬＥＤ照明装置を示す分解斜視図である。なお、図１では、紙面上側が天井側、紙面下側が床側である。
【００１３】
図１に示すように、ＬＥＤ照明装置１は、例えば丸型のものであり、本体ベース１１、アダプタ受け部（絶縁材）１２、電源回路１３、放熱板１４、ＬＥＤ光源基板１５、反射シート１６、ＬＥＤカバー１７、センタカバー１８、セード１９、リング部材２０、センサユニット２１などで構成されている。
【００１４】
本体ベース１１は、鋼板（例えば、亜鉛メッキ鋼板）を略円形状に加工成形した部品であり、凹面が床側を向くように略凹状（皿状）に形成されている。また、本体ベース１１の中央には、取付アダプタ（不図示）が係止されるアダプタ取付孔１１が形成されている。
【００１５】
アダプタ受け部（絶縁材）１２は、難燃性を有する合成樹脂（例えば、ＰＢＴ：ポリブチレンテレフタレート樹脂）で形成され、本体ベース１１にねじ固定されるリング形状の固定部１２ａと、この固定部１２ａの内周縁部から床側（下方）に延出する円筒部１２ｂと、を有している。
【００１６】
電源回路１３は、電源回路１３ａと、商用監視回路１３ｂと、処理部１３ｃと、リモコン受信回路１３ｄと、白色系ＬＥＤ制御回路１３ｅと、暖色系ＬＥＤ制御回路１３ｆと、常夜灯ＬＥＤ制御回路１３ｇと、赤外ＬＥＤ制御回路１３ｈと、を含む回路基板などを有し、アダプタ受け部（絶縁材）１２を介して本体ベース１１にねじ固定されている。これにより、電源回路１３は、本体ベース１１と後記する放熱板１４とで囲まれた放熱空間内に、電気絶縁性を維持した状態で配置される。
【００１７】
また、電源回路１３は、不図示の電線を介して、取付アダプタ（不図示）と電気的に接続される。これにより、ＬＥＤ照明装置１は、屋内配線器具（不図示）、取付アダプタ（不図示）、電源回路１３をそれぞれ介して、給電されるようになっている。電源回路１３の詳細については後記する。
【００１８】
放熱板１４は、鋼板を略円形状に加工成形したものであり、床側に突出する円錐台形状の基板支持部１４ａが形成されている。また、放熱板１４は、例えば亜鉛メッキ鋼板などの熱伝導性の良好な金属を用いて構成され、しぼり加工を施すことによって強度アップが図られている。また、放熱板１４は、本体ベース１１よりも大径に形成され、本体ベース１１よりも径方向外側に突出するようにして本体ベース１１に取り付けられる。
【００１９】
また、放熱板１４の径方向の中心には、アダプタ受け部（絶縁材）１２の円筒部１２ｂと対応する位置に円形の貫通孔１４ｂが形成されている。また、放熱板１４の外周に形成された環状部１４ｃには、後記するセード１９を掛止するための受け具１４ｄが１２０°間隔で３箇所に取り付けられている。
【００２０】
ＬＥＤ光源基板１５は、リング形状の配線基板１５ａと、この配線基板１５ａの一面側（床面側）に配置された複数の昼光色ＬＥＤ素子群１５Ｂと、電球色ＬＥＤ素子群１５Ｃと、常夜灯ＬＥＤ素子１５ｄと、赤外ＬＥＤ素子群１５Ｅと、赤外信号受信部１５Ｆと、を含んで構成されている。なお、詳細については後記する。
【００２１】
配線基板１５ａは、例えば、アルミニウム合金製の略環状の金属板に絶縁層および銅箔パターンなどを形成することで構成され、または熱伝導性の良好な樹脂（例えばポリイミド樹脂など）の平板上に銅箔パターンおよびソルダーレジストなどを形成することで構成されている。また、配線基板１５ａは、放熱板１４にねじ固定されている。
【００２２】
図２は、実施形態に係るＬＥＤ照明装置の各ＬＥＤ素子と、赤外信号受信部１５Ｆの配置を示す平面図である。
【００２３】
図２に示すように、昼光色ＬＥＤ素子群１５Ｂは、昼光色（Ｄ色）の光を発する複数個の昼光色ＬＥＤ素子１５ｂを含んでいる。電球色ＬＥＤ素子群１５Ｃは、電球色（Ｌ色）の光を発する複数個の電球色ＬＥＤ素子１５ｃを含んでいる。赤外ＬＥＤ素子群１５Ｅは、赤外線を発する複数個の赤外ＬＥＤ素子１５ｅを含んで構成されている。常夜灯用の常夜灯ＬＥＤ素子１５ｄは、白熱電球の色に近しい電球色（Ｌ色）や相関色温度２０００Ｋ程度の橙色ＬＥＤなどが用いられる。また、昼光色ＬＥＤ素子群１５Ｂ、電球色ＬＥＤ素子群１５Ｃ、常夜灯ＬＥＤ素子１５ｄ、赤外ＬＥＤ素子群１５Ｅは、それぞれ電気的に独立した配線で配線基板１５ａ上に配置される。
【００２４】
このようにＬＥＤ光源基板１５を構成することで、また、昼光色ＬＥＤ素子群１５Ｂと、電球色ＬＥＤ素子群１５Ｃと、常夜灯ＬＥＤ素子１５ｄと、赤外ＬＥＤ素子群１５Ｅと、を電源回路１３によって、各々独立させて制御できる。
【００２５】
昼光色ＬＥＤ素子１５ｂは、ピーク波長が４３０ｎｍ〜４６０ｎｍのものであり、外周側から内周側にかけて同心円状に複数列（図２の実施形態では９列）に形成されている。
【００２６】
電球色ＬＥＤ素子１５ｃは、ピーク波長が５５０ｎｍ〜６５０ｎｍのものであり、同心円状に複数列配置された各列において昼光色ＬＥＤ素子１５ｂを間に挟んで配置されている。すなわち、電球色ＬＥＤ素子１５ｃは、同心円状の各列において、周方向に２個の昼光色ＬＥＤ素子１５ｂを間に挟んで配置されている。なお、内周側から２列目における電球色ＬＥＤ素子１５ｃは、１個または２個の昼光色ＬＥＤ素子１５ｂを間に挟んで配置されている。また、昼光色ＬＥＤ素子１５ｂと電球色ＬＥＤ素子１５ｂは、同心円状の各列において、周方向に向けて等間隔またはほぼ等間隔に配置されている。
【００２７】
赤外ＬＥＤ素子１５ｅは、ピーク波長が７００ｎｍ〜２０００ｎｍのものであり、同心円状に複数列配置された昼光色ＬＥＤ素子１５ｂと電球色ＬＥＤ素子１５ｃの最外周と最内周との間において、周方向に間隔を空けて円環状に配置されている。図２の実施形態において、昼光色ＬＥＤ素子１５ｂと電球色ＬＥＤ素子１５ｃとが配置された列は、円環状に配置された赤外ＬＥＤ素子１５ｅの内周側には同心円状に５列配置、外周側には同心円状に４列配置となっている。
【００２８】
赤外ＬＥＤ素子１５ｅは、電源回路１３により、所定の赤外信号を発することができるため、例えばテレビやエアコンなどリモコンやスマートフォンからの所定の赤外信号を受信することにより動作する機器を、リモコンやスマートフォンの代わりに動作させることが可能である。その場合、ピーク波長が例えば８００ｎｍと９５０ｎｍなど、異なるピーク波長の赤外ＬＥＤを１５Ｅ内に配置することで、異なる赤外通信規格に基づく異なる機器を動作させることができる。
【００２９】
図１に戻って、反射シート（反射フィルム）１６は、ＬＥＤ光源基板１５から天井側に出射された光（ＬＥＤカバー１７やセード１９によって天井方向に反射された光）を床側に反射させる機能を有し、ＬＥＤ光源基板１５の形状と対応するように平面視においてドーナツ状（環状）に形成されている。また、反射シート１６は、白色の樹脂シートで構成され、ＬＥＤ光源基板１５上の各ＬＥＤ素子を個別に露出させる（挿通させる）貫通孔１６ａが形成されている。なお、本実施形態では、反射シート１６を設ける場合を例に挙げて説明したが、これに限定されるものではなく、放熱板１４や光源基板１５Ａに高反射塗装を行う構成であってもよい。本実施形態では、高反射塗装ではなく、反射シート１６を用いることで、ＬＥＤ照明装置１を安価に製造することが可能になる。
【００３０】
ＬＥＤカバー１７は、ＬＥＤ光源基板ＬＥＤから発せられた光束を表面側（床側）へ導く機能およびＬＥＤ光源基板１５を放熱板１４に対して密着させるように押圧する機能を有している。
【００３１】
ＬＥＤカバー１７は、例えばポリスチレン、ポリカーボネートなどの、透光性および電気絶縁性を有する樹脂を用いて、射出成形などによって一体成形されている。特に、透明性、コストおよび成形性の点においてポリスチレンを使用することが好ましい。また、ＬＥＤカバー１７に用いる材料は、透光性および電気絶縁性を備えるものであれば、樹脂に限定されるものではなく、ガラスなどであってもよい。
【００３２】
また、ＬＥＤカバー１７は、ＬＥＤ光源基板１５の発光面（ＬＥＤが配置されている面）全体を覆う略円形状のＬＥＤカバー部１７ａと、ＬＥＤカバー部１７ａの外周縁部から背面側（天井側）に向けて延びる円筒状の壁部１７ｂと、壁部１７ｂの上端（背面側）から径方向外側に向けて突出するつば部１７ｃと、を有している。つば部１７ｃは、周方向に沿って延在し、３箇所に分割されて形成されている。
【００３３】
センタカバー１８は、装置本体の中央において露出する取付アダプタ（不図示）を覆うものであり、例えば、難燃性を有する合成樹脂（例えば、ＰＰ：ポリプロピレン樹脂）によって形成されている。また、センタカバー１８は、円板状に形成され、ＬＥＤカバー１７に着脱自在に取り付けられている。
【００３４】
セード１９は、透光性（透明、半透明、または、乳白色を含む）を有する樹脂製（例えばアクリルやポリスチレンなど）であり、ドーム状に構成されたものである。また、セード１９は、ＬＥＤ光源基板１５から放射された光束を拡散させて、使用者がＬＥＤ照明装置１を直視した際のまぶしさを軽減したり、ＬＥＤ照明装置１が設置された空間の明るさを均一化する役割を果たす。また、セード１９は、放熱板１４の受け具１４ｄによって、着脱自在に係合保持される。
【００３５】
リング部材２０は、リング部の内周側がセード１９の外周側に保持され、リング部の外周側がセード１９の外周よりも外側に突出するように構成されている。また、リング部材２０は、光透過性を有する材料で形成されている。
【００３６】
センサユニット２１は、例えば、ＬＥＤ照明装置１が設置された環境（空間）の明るさに応じてＬＥＤ光源基板１５への供給電力を変化させて、ＬＥＤ照明装置１下で一定の照度が得られるようにする機能を提供する。また、ＬＥＤ照明装置１下の照度を検知する。
【００３７】
図３は、実施形態に係るＬＥＤ照明装置を示す縦断面図である。
【００３８】
図３に示すように（併せて図１に示すように）、ＬＥＤカバー部１７ａは、径方向の中央部に円形の貫通孔１７ａ１が形成されている。また、ＬＥＤカバー部１７ａには、ＬＥＤ光源基板１５のＬＥＤ素子群（昼光色ＬＥＤ素子１５Ｂ、電球色ＬＥＤ素子１５Ｃ、常夜灯ＬＥＤ素子１５ｄ、赤外ＬＥＤ素子１５Ｅ）のそれぞれに対応する位置にドーム形状部１７ａ２が形成されている。なお、ドーム形状部１７ａ２は、レンズ機能を有するものであり、昼光色ＬＥＤ素子１５ｂ、電球色ＬＥＤ素子１５ｃ、常夜灯ＬＥＤ素子１５ｄ、赤外ＬＥＤ素子１５Ｅからの光を拡散等させるものである。
【００３９】
また、ＬＥＤカバー１７では、ＬＥＤカバー部１７ａが放熱板１４の基板支持部１４ａにねじ固定され、つば部１７ｃが放熱板１４の環状部１４ｃにねじ固定される。
【００４０】
壁部１７ｂは、ＬＥＤカバー部１７ａに対して略直交する方向に延びて形成されている。また、壁部１７ｂには、図示しない切欠きが形成され、ＬＥＤカバー１７内の熱を外部に逃すことができるようになっている。なお、切欠きの開口面積は、使用者の指が挿入できない大きさに設定されている。これにより、使用者が手（指）で直接にＬＥＤ光源基板１５に触れるのを防止できる。
【００４１】
つば部１７ｃは、ＬＥＤカバー１７をＬＥＤ光源基板１５の外周側において放熱板１４に固定する固定部である。
【００４２】
本実施形態では、複数の昼光色ＬＥＤ素子１５ｂが同心円状に配置され、複数の電球色ＬＥＤ素子１５ｃが各列において周方向に昼光色ＬＥＤ素子１５ｂを間に挟んで配置され、赤外ＬＥＤ素子１５Ｅが、昼光色ＬＥＤ素子１５ｂおよび電球色ＬＥＤ素子１５ｃの間に環状に配置されている。これによれば、昼光色ＬＥＤ素子１５ｂと電球色ＬＥＤ素子１５ｃに使用される配線基板と赤外ＬＥＤ素子１５ｅに使用される配線基板とを、１枚の配線基板１５ａで構成することができるので、安価に構成することができ、しかも組み立て作業を簡略化できる。
【００４３】
図４を用いて電源回路１３について記述する。電源回路１３は、白色系ＬＥＤ制御回路１３ｅと、暖色系ＬＥＤ制御回路１３ｆと、常夜灯ＬＥＤ制御回路１３ｇと、赤外ＬＥＤ制御回路１３ｈによって、発光色が異なる光源を各々点灯・消灯及び調光制御することができる。
【００４４】
また、リモコン３０から送信され、赤外信号受信部１５Ｆで受信した赤外信号を、処理部１３ｃに電気的出力で伝達するリモコン受信回路１３ｄを備えている。伝達された信号は、処理部３０ｃでソフト的に処理され、白色系ＬＥＤ制御回路１３ｅと、暖色系ＬＥＤ制御回路１３ｆと、常夜灯ＬＥＤ制御回路１３ｇと、赤外ＬＥＤ制御回路１３ｈに電気的に出力され、各制御回路がそれに対応した各ＬＥＤ素子群のＬＥＤ電流やＬＥＤ電流波形を出力することで、明るさや光色、赤外ＬＥＤ素子１５ｅから発する赤外信号を所定の状態に制御できる。
【００４５】
図５は、リモコン３０の平面図である。リモコン３０には、赤外信号を発するための赤外ＬＥＤ３０ｊと、時刻や点灯モードを表示する表示画面３０ａと、押すことで照明装置の主光源１５Ｂを点灯させるための赤外信号をＬＥＤ３０ｊから送信させる点灯ボタン３０ｂと、押すことで照明装置の常夜灯ＬＥＤ素子１５ｄを点灯させるための赤外信号をＬＥＤ３０ｊから送信させる常夜灯ボタン３０ｄと、押すことで照明装置を消灯させるための赤外信号をＬＥＤ３０ｊから送信させる消灯ボタン３０ｅと、押すことで照明装置の各ＬＥＤ素子の明るさを変化させるための赤外信号をＬＥＤ３０ｊから送信させる明・暗ボタン３０f・３０gと、押すことで照明装置の各ＬＥＤ素子の光色を変化させるための赤外信号をＬＥＤ３０ｊから送信させる白・暖ボタン３０ｈ・３０ｃと、押すことで変化させた所定の明るさや光色を照明装置に記憶させ、点灯ボタン３０ｂや常夜灯ボタン３０ｄを押した際に、記憶させた所定の明るさや光色で点灯させることができるメモリボタン３０ｃと、を有している。
【００４６】
また、各々のボタンから送信される赤外信号は全て異なる。さらに、同じボタンから送信される信号については、押すごとに異なってもよいが。操作が複雑になるため同一であることが好ましく、操作の単純性を上げる効果を奏する。
【００４７】
以下では、同じボタンから送信される信号が同一とした場合の使用者のリモコン操作について述べる。
【００４８】
図６は、リモコン３０により常夜灯ＬＥＤ素子１５ｄの明るさを変化させる場合の、リモコン操作のフローチャートである。フローチャート40aでは、N1,n2,n3,n4,n5,n6,n7,n8,n9,n10,n11,n12,n13,n14,n15,n16,n17,n18,n19,n20,n21の計21の点灯モードがあり、その内で最も明るい点灯モードがN1で、n2,n3,n4,n5,n6,n7,n8,n9,n10,n11,n12,n13,n14,n15,n16,n17,n18,n19,n20,n21となるにつれ暗くなり、n21が最も暗い点灯モードである。フローチャート40bでは、N1,n2,n3,n4,n5,n6,n7,n8,n9,n10,N2,n12,n13,n14,n15,n16,n17,n18,n19,n20,N3の計21の点灯モードがあり、その内で最も明るい点灯モードがN1で、n2,n3,n4,n5,n6,n7,n8,n9,n10,N2,n12,n13,n14,n15,n16,n17,n18,n19,n20,N3となるにつれ暗くなり、N3が最も暗い点灯モードである。フローチャート40cでは、N1,n2,n3,N2,n5,n6,n7,n8,n9,n10,n11,n12,n13,n14,n15,n16,n17,n18,n19,n20,N3の計21の点灯モードがあり、その内で最も明るい点灯モードがN1で、n2,n3,N2,n5,n6,n7,n8,n9,n10,n11,n12,n13,n14,n15,n16,n17,n18,n19,n20,N3となるにつれ暗くなり、N3が最も暗い点灯モードである。例えば、常夜灯ボタン３０ｄを押し、リモコンから信号Ａが送信されて、最も明るいＮ１で点灯した点灯モードとなった際に、ｎ２０の明るさの点灯モードに遷移させたい場合、暗ボタン３０ｇのみの操作により、暗ボタン３０ｇを押した際に送信される信号Ｂで点灯モードを遷移しようとすると、フローチャート４０ａのように、１９回のボタン操作が発生する。ここで、常夜灯ボタン３０ｄを押した際に明るさの変化をさせるように、送信された信号Ａで、点灯モードを遷移させる場合の動作フローを示したのが、４０ｂである。４０ｂの場合、Ｎ１からｎ２０に点灯モードを遷移させる場合、常夜灯ボタン３０ｄを２回操作し、Ｎ３まで点灯モードを遷移させた後に明ボタン３０ｆを１回操作することで、所定の点灯モードｎ２０とすることができ、４０ａと比較して１６回の操作を削減できる効果を奏する。ただし、フローチャート４０ｃに示すように、明るさが違う点灯モードの段階が数Ｎ＜数ｎであれば、操作回数を減らすことができるため、数Ｎ＜数ｎであることが望ましい。さらに、図４０ｂに示すとおり、常夜灯ボタン３０ｄを押す毎に、Ｎ１、Ｎ２、Ｎ３、Ｎ１、Ｎ２…と繰り返しで遷移するよう点灯モードが変化するように設定することで、Ｎ３の明るさから、例えば、ｎ２の点灯モードに遷移させたい場合に、使用者のボタン操作の回数を減らすことができる。
【００４９】
また、図６のフローチャートでは、明るさが違う点灯モードの段階を２１段階としているが、点灯モードの段階はこの限りではない。
【００５０】
信号を受信する受信部（例えば、赤外信号受信部１５Ｆ）と、使用者が操作し異なる２種類以上の前記信号を送る操作部（例えば、リモコン３０）と、一つ以上の半導体発光素子を有する発光体（例えば、常夜灯ＬＥＤ素子１５ｄ）と、前記受信部で受信した信号によって発光体を点灯、調光など制御をする電源回路とを有し、前記制御における明るさなどが違う点灯モードが５つ以上(例えば、上記のN1〜n21やN1〜N3)存在し、一つの信号Ａによって、前記５つ以上の点灯モード全て(例えば、上記のN1〜n21やN1〜N3の計21の点灯モード全て)に遷移でき、異なる一つの信号Ｂによって、前記点灯モードの２つ以上、かつ、前記点灯モードの全てより少ない点灯モード（例えば、上記のN1,N2,N3の３つの点灯モード）に遷移できる照明装置、または、照明ユニットとすることで、使用者がリモコンなどを用いて、所定の点灯モードで動作させる際に、単純かつ操作回数を少なくできる照明装置を提供することができる。
【００５１】
図４に戻り、メモリボタン３０ｃについて説明する。メモリボタン３０ｃは、明ボタン３０ｆや暗ボタン３０ｇなどで明るさや光色を変化させた場合に、その状態を記憶させ、例えば、点灯ボタン３０ｂや常夜灯ボタン３０ｄを操作した際に、記憶させた状態を再現させることができる。メモリボタン３０ｃを用いれば、繰り返しのボタン操作で明るさや光色を変化させることなく、使用者が希望の明るさや光色を得ることができる。なお、記憶した明るさや光色などはメモリから削除することができる。
【００５２】
なお、本発明は、前記した実施形態に限定されるものではなく、本発明の趣旨を逸脱しない範囲において種々変更することができる。例えば、ＬＥＤ照明装置１の形状は、丸型に限定されるものではなく、四角などの角型、多角型など他の形状であってもよく、リモコン３０の代わりにスマートフォンなどで代用してもよい。また、照明装置１とリモコン３０を合わせて照明ユニットとしてもよい。信号は赤外線でも良い。操作部はボタン操作でも良い。
【００５３】
以上、前記実施形態では、発光体がＬＥＤを備える場合について説明したが、発光体としてＥＬ（Electro-Luminescence）など他の半導体発光素子を用いてもよい。
【符号の説明】
【００５４】
１      ＬＥＤ照明装置（照明装置）
１１    本体ベース
１１    アダプタ取付孔
１２    アダプタ受け部（絶縁材）
１３    電源回路
１４    放熱板
１５    ＬＥＤ光源基板
１５ａ  配線基板
１５ｂ  昼光色ＬＥＤ
１５ｃ  電球色ＬＥＤ
１５ｄ  常夜灯ＬＥＤ
１５ｅ  赤外ＬＥＤ
１６    反射シート
１７    ＬＥＤカバー
１９    セード
２０    電源回路
３０    リモコン
【図１】
2020202139.tif 000003
【図２】
2020202139.tif 000004
【図３】
2020202139.tif 000005
【図４】
2020202139.tif 000006
【図５】
2020202139.tif 000007
【図６】
2020202139.tif 000008